(57)【要約】【課題】  熱交換換気装置には、通常の熱交換換気運転モード以外に給気間欠運転モード、給気強制停止運転モード等があり、さらにフィルター清掃時期、異常状態等のメンテナンス情報など知らせるべき情報が多くあるが、それをパイロットランプの点灯、消灯および周期の異なる数種類の点滅で区別し、表示していた。【解決手段】  運転状態に対応した第１の表示情報および第２の表示情報を出力する制御回路と、第１の表示情報に基いた運転状態を表示する第１の表示手段と、第２の表示情報に基いた運転状態を表示する第２の表示手段とを備え、第１の表示手段の表示と第２の表示手段の表示の組み合わせで詳細な運転状態を認識できるようにした。【選択図】        図１
2010276266.tif 000002
【特許請求の範囲】
【請求項１】
熱交換換気装置の本体を有し、
前記本体内に、
室外の空気を室内に給気する給気風路と、
室内の空気を室外に排気する排気風路と、
前記給気風路内に設けられ給気流を形成する給気用送風機と、
前記排気風路内に設けられ排気流を形成する排気用送風機と、
前記給気風路内の空気と前記排気風路内の空気との間で熱交換を行なう熱交換器と、
前記給気用送風機および前記排気用送風機の運転を制御し、運転状態に対応した第１の表示情報および第２の表示情報を出力する制御回路と
を備え、
前記本体外に、
前記第１の表示情報に基いた運転状態を表示する第１の表示手段と、
前記第２の表示情報に基いた運転状態を表示する第２の表示手段と
を備えたことを特徴とする熱交換換気装置。
【請求項２】
前記第１の表示情報と前記第２の表示情報とは異なる表示情報であって、
前記第１の表示手段および前記第２の表示手段はそれぞれ独立した運転状態を表示するとともに、前記第１の表示情報に基いた運転状態および前記第２の表示情報に基いた運転状態を組み合わせて運転状態を表示する
ことを特徴とする請求項１に記載の熱交換換気装置。
【請求項３】
前記第１の表示手段と、前記第２の表示手段とを、互いに離して設置した
ことを特徴とする請求項２に記載の熱交換換気装置。
【請求項４】
前記制御回路は、第１の表示情報および第２の表示情報の表示パターンを切り換える表示出力切換手段を備え、
前記制御回路は前記表示出力切換手段の出力に従って前記第１の表示情報と異なる表示パターンの第３の表示情報および前記第２の表示情報と異なる表示パターンの第４の表示情報を出力する
ことを特徴とする請求項１から３のいずれかに記載の熱交換換気装置。
【発明の詳細な説明】
【技術分野】
【０００１】
本発明は、運転状態や異常、メンテナンス情報などを使用者に報知するための表示手段を有する熱交換換気装置に関するものである。
【背景技術】
【０００２】
換気装置としては、室内の空気を排気するだけの換気扇や、調理場の排気を行なうレンジフード、給気と排気を同時に行ない、その間で熱交換を行なう熱交換換気装置など様々なものが知られている。
これらの換気装置は、排気運転において油煙や室内塵埃が装置内に付着して汚れたり、また給気運転において外気粉塵や花粉等を室内に取り込んだりしないように、排気通路、給気通路にフィルターを装着するタイプのものが多い。フィルターは長時間の使用によって汚れたり目詰まりして機能を低下させるので清掃が必要となる。そのため、センサーで目詰まり状態を検知したり、あるいは所定の運転時間を越えたら清掃時期になったと判断するなどの方法により、フィルター清掃を促す報知を行なっている。このような報知は一般的にパイロットランプの点灯等で行なわれている。
例えば、特許文献１には、壁スイッチ部に組み込まれたランプを点滅させてフィルターのメンテナンス時期を知らせる換気装置が開示されている。
【先行技術文献】
【特許文献】
【０００３】
【特許文献１】特開２００９−１７７６１０号広報（第４頁、第２図）
【発明の概要】
【発明が解決しようとする課題】
【０００４】
換気装置は天井や壁の高い位置に設置されることが多いため、換気装置の運転／停止を操作するスイッチは使用者の届く高さの壁に取り付けられ、換気装置本体とは配線により接続されている。換気装置を運転させたいときはこのスイッチをＯＮし、停止させたいときはこのスイッチをＯＦＦすればいい。なお、熱交換換気装置の場合は、スイッチＯＮによる通常の運転動作として、給気用送風機と排気両送風機を同時に運転する熱交換換気運転を行なう。
ところで上述の熱交換換気運転においては、外気が低温の時に給気運転を長時間にわたって継続すると換気装置本体が冷えて、結露したり熱交換器が凍結したりする不具合が発生する場合がある。そこで結露や凍結を防止するために、給気用送風機を間欠運転させて本体等が冷えすぎないようにする必要がある。特に２４時間換気を行う換気装置においては常に外気を給気しているため、外気温度を常時監視して自動的に間欠運転を実施している。
しかしながら使用者にとっては、熱交換換気装置が間欠運転を実行しているのかあるいは通常の熱交換運転を実行しているのか外部から見てもわからないので、どの運転モードで動作しているかを表示などで把握できることが望まれる。
また運転モードの違いだけでなく、フィルター清掃が必要な目詰まり状態での運転、換気装置に故障など何らかの異常が発生した状態での運転など、メンテナンス情報も必要で、使用者にとってこれらのメンテナンス情報は、フィルターを清掃したり、修理を依頼したりして換気装置を正常な状態で効果的に運転させるために必要な情報なので、表示等で把握できなければならない。
【０００５】
従来の換気装置のように、壁設置のスイッチ部に組み込まれたランプを用いて前述した各運転モードや各運転状態情報を報知しようとすると、熱交換換気装置のように情報量が多い場合は、ランプの点灯／消灯／点滅だけでは表しきれないため、点滅の周期を複数種用意してそれぞれに報知すべき情報を割り当てて対応することが考えられる。しかし、使用者が直感的に把握できる点滅の周期の違いはせいぜい早い点滅、遅い点滅程度に限られるので、異なる周期の点滅が何種類もあると使用者には把握しにくいものであり報知の意味をなさない。すなわち、従来のスイッチ組み込みランプによる表示で種々の運転モードやメンテナンス情報を報知することは困難であった。
【０００６】
本発明は、換気装置の各種運転モードやメンテナンス情報など多くの運転状態を使用者にわかりやすく簡単に報知できる熱交換換気装置を提供するものである。
【課題を解決するための手段】
【０００７】
本発明に係る熱交換換気装置においては、熱交換換気装置の本体を有し、本体内に、室外の空気を室内に給気する給気風路と、室内の空気を室外に排気する排気風路と、給気風路内に設けられ給気流を形成する給気用送風機と、排気風路内に設けられ排気流を形成する排気用送風機と、給気風路内の空気と排気風路内の空気との間で熱交換を行なう熱交換器と、給気用送風機および排気用送風機の運転を制御し、運転状態に対応した第１の表示情報および第２の表示情報を出力する制御回路とを備え、本体外に、第１の表示情報に基いた運転状態を表示する第１の表示手段と、第２の表示情報に基いた運転状態を表示する第２の表示手段とを備えたものである。
【発明の効果】
【０００８】
本発明は、熱交換換気装置の制御回路から第１の表示情報と第２の表示情報を出力するように構成したので、使用者は第１の表示情報と第２の表示情報との組み合わせにより、換気装置の種々の運転状態を容易に認識することができる。
【図面の簡単な説明】
【０００９】
【図１】本発明の実施の形態１を示す熱交換換気装置のブロック図である。
【図２】本発明の実施の形態１を示す熱交換換気装置のスイッチ回路取付け外観図である。
【図３】本発明の実施の形態１を示す熱交換換気装置の第２のパイロットランプ取付け外観図である。
【図４】本発明の実施の形態１を示す熱交換換気装置の回路図である。
【図５】本発明の実施の形態１を示す熱交換換気装置の運転状態−表示対応表である。
【図６】本発明の実施の形態２を示す熱交換換気装置の回路図である。
【図７】本発明の実施の形態２を示す熱交換換気装置の運転状態−表示対応表である。
【発明を実施するための形態】
【００１０】
実施の形態１．
図１は本発明の実施の形態１を示す熱交換換気装置のブロック図である。
まず、図１により熱交換換気装置の構成の概要を説明する。熱交換換気装置の本体１は、屋外の空気を室内に給気するための給気風路２と、室内の空気を室外に排気する排気風路３を備えている。本体１の屋外に連通する側には室外吸込口１ａ、室外吹出口１ｄが設けられ、それぞれ給気風路２、排気風路３と連通している。また、本体１の室内に連通する側には室内吹出口１ｂ、室内吸込口１ｃが設けられ、それぞれ給気風路２、排気風路３と連通している。さらに、給気風路２には給気流（図１の矢印Ａ）を形成する給気用送風機４が、排気風路３には排気流（図１の矢印Ｂ）を形成する排気用送風機５がそれぞれ設けられている。給気風路２と排気風路３は一部において交差しており、この交差部に空気対空気で熱交換を行う熱交換器６が組み込まれている。
【００１１】
商用交流電源７は熱交換換気装置の本体１内の給気用送風機４、排気用送風機５および熱交換換気装置の制御回路８への電源を供給する。熱交換換気装置の本体１は屋外側の壁の上部や、天井（ダクトにより屋外と給排気風路を接続）に設置される。スイッチ回路９は、使用者が操作することによって、熱交換換気装置の運転／停止の指令や、風量切り換えの指令を本体１内の制御回路８に出力する。制御回路８はその指令に基づいて給気用送風機４、排気用送風機５の制御等を実施する。また、制御回路８は熱交換換気装置の運転状態をスイッチ回路９内に組み込まれている第１の表示手段および前記スイッチ回路９外の第２の表示手段に送り、表示する。この実施の形態１においては、第１の表示手段として第１のパイロットランプ１０を使用し、第２の表示手段として第２のパイロットランプ１１を使用する。スイッチ回路９は使用者が操作しやすいように適切な高さの壁等に設置されたスイッチボックス内に収納されている。第２のパイロットランプ１１も同様に壁等に設置された別のスイッチボックス内に収納されている。図２はスイッチ回路の取付け外観図、図３は第２のパイロットランプの取付け外観図である。
本体１、商用交流電源７、スイッチ回路９、第２のパイロットランプ１１は電源線、信号線で接続されている。また、給気風路２には外気に含まれる粉塵や花粉等を除去する給気フィルター１２が熱交換器６の上流側入り口に設置され、排気風路３には室内空気に含まれる衣類等からの綿埃等を除去する排気フィルター１３が熱交換器６の上流側入り口に設置されている。給気風路２の室外給気口付近には室外給気口から取り込んだ外気の温度を検出するためのサーミスタ１４が設置されている。
【００１２】
次に、図１により熱交換換気装置の動作の概要を説明する。使用者がスイッチ回路９の運転スイッチ９ａをＯＦＦ（「停止」）からＯＮ（「運転」）に切り換えると、制御回路８はそれを検知して、給気用送風機４、排気用送風機５の両方を運転させる。給気用送風機４の運転によって給気風路２には給気流（図１の矢印Ａ）が発生し、屋外の新鮮な空気が室外吸込口１ａから取り込まれ、給気フィルター１２、熱交換器６を経由して室内吹出口１ｂから室内に供給される。同様に、排気用送風機５の運転によって排気風路３には排気流（図１の矢印Ｂ）が発生し、室内の汚れた空気が室内吸込口１ｃから取り込まれ、排気フィルター１３、熱交換器６を経由して室外吹出口１ｄから屋外に排出される。このとき熱交換器６によって給気と排気との間では熱交換を行なうため、熱回収により冷暖房中の熱損失が少ない換気を行なうことができる。これが熱交換換気装置によって行なわれる通常の熱交換換気運転である。
【００１３】
スイッチ回路９の強弱切換スイッチ９ｂの操作により、上記熱交換換気運転の強風量運転あるいは弱風量運転を選択することができる。強弱切換スイッチ９ｂをＯＮ（「強」）にすることによって、給気用送風機４、排気用送風機５のノッチはいずれも「強」が選択され、熱交換換気装置の運転は強風量運転となる。また、強弱切換スイッチ９ｂをＯＦＦ（「弱」）にすることによって、給気用送風機４、排気用送風機５のノッチはいずれも「弱」が選択され、熱交換換気装置の運転は弱風量運転となる。
【００１４】
冬季など外気温が低いときに熱交換換気運転を行なった場合、屋外と室内の温度差が大きすぎて、熱交換を行なっていても室内吹出口１ｂから室内に供給する空気の温度が低く、使用者が冷風感を覚えることがある。その冷風感を緩和するため、給気強制停止運転を選択することができる。スイッチ回路９の給気停止スイッチ９ｃをＯＮ（「入」）にすることによって、制御回路８は給気用送風機４を強制停止する。したがって屋外からの冷たい空気が取り込まれなくなり、冷風感が緩和される。
【００１５】
また、外気温が低い状態で熱交換換気運転を継続していると、取り込まれた低温度の外気により熱交換換気装置本体や熱交換器が冷やされ、結露や凍結を生ずる恐れがある。それを防止するために給気風路２内に設置されたサーミスタ１４により外気温度を検知して制御回路８に送る。制御回路８は、外気温度が所定値より低かった場合、給気用送風機４が運転／停止を繰り返す間欠運転を行なう。なお、間欠運転の運転時間と停止時間の割合は、外気温度が所定値以下ではあるがそれ程低くない場合には”５０分運転／１０分停止“としたり、外気温度が所定値よりもかなり低いような場合には”５分運転／５５分停止“としたりして、結露や凍結を防止しつつ最低限の換気を確保できるように決めておく。この運転モードはサーミスタ１４で外気温を検出して自動的に実行される。
【００１６】
熱交換換気装置は前述したように、給気フィルター１２により外気に含まれる粉塵や花粉を除去し、熱交換器６に付着したり室内側に入ってくるのを防いでいる。また、排気フィルター１３により室内空気に含まれる衣類等からの綿埃等を除去し、熱交換器６に付着するのを防いでいる。熱交換換気装置を長時間にわたって運転していると、前記給気フィルター１２および排気フィルター１３には前記塵埃、花粉、綿埃が付着して汚れたり目詰まりして性能を低下させるため、給気フィルター１２および排気フィルター１３に対し定期的な清掃や交換等のメンテナンスが必要となる。熱交換換気装置の制御回路８は熱交換換気装置の積算運転時間をカウントして所定時間を越えたかどうかを判定し、所定時間を越えたときメンテナンス時期になったと判断してスイッチ回路９内の第１のパイロットランプ１０で使用者に報知する。
【００１７】
図４は本発明の実施の形態１を示す熱交換換気装置の回路図である。
図４により、制御回路８内の構成を説明する。制御回路８には端子台１５が実装されている。端子台１５の端子１５ａ−端子１５ｂ間には商用交流電源７が接続され、端子１５ａ−端子１５ｃ間には運転スイッチ９ａおよび第１のパイロットランプ１０が直列に接続されている。端子１５ａ−端子１５ｄ間には強弱切換スイッチ９ｂが、端子１５ａ−端子１５ｅ間には給気停止スイッチ９ｃがそれぞれ接続されている。さらに、端子１５ｆ−端子１５ｇ間には第２のパイロットランプ１１が接続されている。
制御回路８内において、端子１５ａ、端子１５ｂにはそれぞれ電流ヒューズを介して電源回路１６が接続されている。電源回路１６は制御電源（ＤＣ５Ｖ、ＤＣ１２Ｖなど）を生成し、制御回路８内の各回路部に供給している。
【００１８】
端子１５ｃには検知回路１７および点灯／消灯制御回路１８の一端が接続されている。検知回路１７は抵抗器１９、フォトカプラ２０の発光部２０ａ、ダイオード２１から構成されている。点灯／消灯制御回路１８は抵抗器２２、ダイオードブリッジ２３、フォトカプラ２４の受光部２４ｂから構成されている。検知回路１７および点灯／消灯制御回路１８のもう一端は端子１５ｂ側のラインすなわち前記商用交流電源７の一端に接続されている。端子１５ｄ、端子１５ｅには図示しない第２の検知回路、第３の検知回路の一端が接続されている。第２の検知回路、第３の検知回路は前記検知回路１７と同じ構成である。第２の検知回路、第３の検知回路のもう一端は端子１５ｂ側のラインすなわち前記商用交流電源７の一端に接続されている。
検知回路１７のフォトカプラ２０の発光部２０ａに対応する受光部２０ｂは、制御電源（ＤＣ５Ｖ）と回路ＧＮＤ間に抵抗器と直列に接続され、エミッタ側端子がマイクロコンピュータ２５の入力端子２５ａに接続される。図示しない第２の検知回路、第３の検知回路内のフォトカプラ受光部側も同様な構成である。
点灯／消灯制御回路１８のフォトカプラ２４の受光部２４ｂに対応する発光部２４ａはアノード側を制御電源（ＤＣ５Ｖ）に、カソード側を抵抗器を介してマイクロコンピュータ２５の出力端子２５ｂに接続される。
【００１９】
端子１５ｆはリレー２６の接点部２６ｂを介して端子１５ｂ側のラインすなわち前記商用交流電源７の一端に接続されている。端子１５ｇは端子１５ａ側のラインすなわち前記商用交流電源７の他の一端に接続されている。リレー２６のコイル部２６ａは制御電源（ＤＣ１２Ｖ）と回路ＧＮＤ間にトランジスタと直列に接続され、前記トランジスタのベースが抵抗器を介してマイクロコンピュータ２５の出力端子２５ｃに接続される。
【００２０】
また、制御回路８には給気用送風機４接続用の端子台２８、排気用送風機５接続用の端子台２９が実装されている。端子台２８の端子２８ａには給気用送風機４のコモン端子、端子２８ｂ、端子２８ｃには給気用送風機４のそれぞれ強ノッチ端子、弱ノッチ端子が接続される。端子台２９の端子２９ａには排気用送風機５のコモン端子、端子２９ｂ、端子２９ｃには排気用送風機５のそれぞれ強ノッチ端子、弱ノッチ端子が接続される。
制御回路８内において、端子２８ａは端子１５ａ側のラインすなわち前記商用交流電源７の他の一端に接続されている。端子２８ｂ、端子２８ｃにはリレー３０の接点部３０ｂのそれぞれＮＯ端子、ＮＣ端子が接続され、接点部３０ｂのコモン端子はリレー３１の接点部３１ｂの一端に接続されている。接点部３１ｂの他の一端は端子１５ｂ側のラインすなわち前記商用交流電源７の一端に接続されている。
リレー３０のコイル部３０ａは制御電源（ＤＣ１２Ｖ）と回路ＧＮＤ間にトランジスタと直列に接続され、前記トランジスタのベースが抵抗器を介してマイクロコンピュータ２５の出力端子２５ｅに接続される。リレー３１のコイル部３１ａは制御電源（ＤＣ１２Ｖ）と回路ＧＮＤ間にトランジスタと直列に接続され、前記トランジスタのベースが抵抗器を介してマイクロコンピュータ２５の出力端子２５fに接続される。
端子２９ａ〜端子２９ｃ側についても同様な構成である（図示せず）。
【００２１】
また、制御回路８には端子台３２が実装されており、端子台３２に熱交換換気装置内のサーミスタ１４が接続される。制御回路８内において、端子台３２はマイクロコンピュータ２５の入力端子２５ｇに接続されている。
【００２２】
次に制御回路の動作を説明する。
まず、制御回路が運転スイッチ９ａ、強弱切換スイッチ９ｂ、給気停止スイッチ９ｃの開閉状態を認識する方法について説明する。運転スイッチ９ａが閉じている場合、商用交流電源７は、運転スイッチ９ａ、第１のパイロットランプ１０、検知回路１７に印加され、運転スイッチ９ａ、第１のパイロットランプ１０、抵抗器１９、フォトカプラ２０の発光部２０ａ、ダイオード２１の経路で電流が流れる。この経路を流れる電流の値は、抵抗器１９の値によって決まる。そこで、この電流値が、第１のパイロットランプ１０を点灯させるためには不十分な値であり、かつフォトカプラ２０の発光部２０ａを発光させるためには十分な値となるように、抵抗器１９の値を決めておく。フォトカプラ２０の発光部２０ａが発光すれば、受光部２０ｂが導通するのでマイクロコンピュータ２５の入力端子２５ａにはＨｉレベルの電圧が入力される。運転スイッチ９ａが開いている場合、フォトカプラ２０の発光部２０ａには電流が流れず、受光部２０ｂは非導通、従ってマイクロコンピュータ２５の入力端子２５ａにはＬｏレベルの電圧が入力される。すなわち、マイクロコンピュータ２５は入力端子２５ａの入力電圧を監視することにより、運転スイッチ９ａの開閉状態を知ることができる。そしてマイクロコンピュータ２５は、その運転スイッチ９ａの開閉状態に応じて、給気用送風機４や排気用送風機５の制御を行なう。
強弱切換スイッチ９ｂ、給気停止スイッチ９ｃについても、それぞれ検知回路１７と同様の構成の第２の検知回路、第３の検知回路（ともに図示せず）に接続されて、マイクロコンピュータ２５はそれらの開閉状態を認識することができる。
【００２３】
次に点灯／消灯制御回路１８の動作を説明する。第１のパイロットランプ１０を点灯させたい場合、マイクロコンピュータ２５は出力端子２５ｂをＬｏにする。これにより、フォトカプラ２４の発光部２４ａに電流が流れるので、発光部２４ａが発光し、受光部２４ｂが導通して、ダイオードブリッジ２３の直流側端子（＋、−）を短絡する。すなわち、ダイオードブリッジ２３を交流側端子から見てもやはり短絡状態なので、第１のパイロットランプ１０には抵抗器２２、ダイオードブリッジ２３を介して全波電流が流れる。この電流の値は抵抗器２２によって決まる。そこで、この電流値が第１のパイロットランプ１０を点灯させるために十分な値となるように、抵抗器２２の値を決めておく。
また、第１のパイロットランプ１０を消灯させたい場合、マイクロコンピュータ２５は出力端子２５ｂをＨｉにする。これにより、フォトカプラ２４の発光部２４ａに電流が流れないので、発光部２４ａが発光せず、受光部２４ｂが非道通となる。したがって、ダイオードブリッジ２３を交流側端子から見た場合に開放状態であるため、第１のパイロットランプ１０には電流が流れず消灯する。
さらに、第１のパイロットランプ１０を点滅させたい場合、マイクロコンピュータ２５は出力端子２５ｂのＬｏ／Ｈｉをある周期（例えば０．５秒Ｌｏ／０．５秒Ｈｉ）で切り換える。これにより、第１のパイロットランプ１０には、電流が０．５秒流れ、０．５秒流れない状態が繰り返される。すなわち第１のパイロットランプ１０は点滅状態（０．５秒点灯／０．５秒消灯）となる。
なお、運転スイッチ９ａが開かれていれば、マイクロコンピュータ２５が出力端子２５ｂをどんな状態にしても、第１のパイロットランプ１０には電流が流れず、消灯状態となる。
以上により、運転スイッチ９ａが閉じている状態であれば、マイクロコンピュータ２５は出力端子２５ｂを制御することにより、第１のパイロットランプ１０を点灯／消灯／点滅の任意の状態に制御することができる。
【００２４】
次に第２のパイロットランプ１１への出力動作を説明する。第２のパイロットランプ１１を点灯させたい場合、マイクロコンピュータ２５は出力端子２５ｃをＨｉにする。これにより、出力端子２５ｃに接続されたトランジスタがＯＮになり、リレー２６のコイル部２６ａに電流が流れるので、接点部２６ｂが閉じる。したがって端子台１５の端子１５ｆ−端子１５ｇ間にはＡＣ１００Ｖが出力される。すなわち端子１５ｆ−端子１５ｇ間に接続された第２のパイロットランプ１１は点灯状態となる。ここで、第２のパイロットランプ１１は、ＡＣ１００Ｖを印加することで点灯するタイプのパイロットランプとする。
また、第２のパイロットランプ１１を消灯させたい場合、マイクロコンピュータ２５は出力端子２５ｃをＬｏにする。これにより、出力端子２５ｃに接続されたトランジスタがＯＦＦになり、リレー２６のコイル部２６ａに電流が流れないので、接点部２６ｂが開く。したがって端子台１５の端子１５ｆ−端子１５ｇ間にはＡＣ１００Ｖが出力されない。すなわち端子１５ｆ−端子１５ｇ間に接続された第２のパイロットランプ１１は消灯状態となる。
【００２５】
次に給気用送風機４、排気用送風機５の駆動について説明する。
給気用送風機４を運転（強風量運転）させる場合には、マイクロコンピュータ２５は出力端子２５ｆおよび出力端子２５ｅをＨｉにする。それぞれの出力端子に接続されたトランジスタがともにＯＮになり、リレー３１のコイル部３１ａ、リレー３０のコイル部３０ａに電流が流れる。したがってリレー３１の接点部３１ｂは閉じ、リレー３０の接点部３０ｂはＮＯ端子側に閉じる。すなわち、給気用送風機４のコモン端子−強ノッチ端子間にＡＣ１００Ｖが印加され、強風量運転を実行する。
給気用送風機４を弱風量運転させる場合には、マイクロコンピュータ２５は出力端子２５ｆをＨｉにし、出力端子２５ｅをＬｏにする。リレー３１のコイル部３１ａに電流が流れ、リレー３０のコイル部３０ａに電流が流れないので、リレー３１の接点部３１ｂが閉じ、リレー３０の接点部３０ｂがＮＣ端子側に閉じる。すなわち、給気用送風機４のコモン端子−弱ノッチ端子間にＡＣ１００Ｖが印加され、弱風量運転を実行する。
給気用送風機４を停止させる場合は、マイクロコンピュータ２５は出力端子２５ｆをＬｏにする。リレー３１のコイル部３１ａに電流が流れないので、リレー３１の接点部３１ｂが開く。すなわち、給気用送風機４にはＡＣ１００Ｖが印加されず、運転を停止する。
排気用送風機５についても、リレー３０、リレー３１と同様の構成のリレー回路（図示せず）が接続されており、マイクロコンピュータ２５は同様に排気用送風機５を制御（強風量運転、弱風量運転、停止）することができる。
【００２６】
次にサーミスタ１４の動作について説明する。サーミスタ１４はその周辺の温度に対応して抵抗値が変化する。抵抗値は、制御電源、直列接続された抵抗器などにより電圧値に変換されてマイクロコンピュータ２５の入力端子２５ｇに与えられる。マイクロコンピュータ２５は入力端子２５ｇから入力されたアナログ値をデジタル値に変換する。これにより、マイクロコンピュータ２５はサーミスタ１４付近の空気すなわち外気の温度を検出することができる。
【００２７】
図５は、本発明の実施の形態１を示す熱交換換気装置の運転状態−表示対応表である。
以下、図５に示した熱交換換気装置における各運転モードやメンテナンス情報と表示との関係を説明する。
まず、熱交換換気装置において、運転スイッチ９ａがＯＮ状態（「運転」）、給気停止スイッチ９ｃがＯＦＦ状態（「切」）、マイクロコンピュータ２５内でカウントする運転時間が所定値以下（フィルタ清掃目安時間以前）、サーミスタ１４の温度が所定値以上（結露、凍結温度領域外）、運転が正常（異常なし）であれば、マイクロコンピュータ２５は、通常の熱交換換気運転モードの正常運転状態であると判定し、図５の「熱交換換気運転」に示したように第１のパイロットランプ１０を「点灯」、第２のパイロットランプ１１を「消灯」にする。
また、運転スイッチ９ａがＯＮ状態（「運転」）、給気停止スイッチ９ｃがＯＦＦ状態（「切」）、マイクロコンピュータ２５内でカウントする運転時間が所定値以上（フィルタ清掃目安時間を越えた）、サーミスタ１４の温度が所定値以上（結露、凍結温度領域外）、運転が正常（異常なし）であれば、マイクロコンピュータ２５は、通常の熱交換換気運転モードであってフィルタ清掃が必要な状態であると判定し、図５の「フィルタメンテナンスサイン」に示したように第１のパイロットランプ１０を「２秒点滅」（２秒点灯／２秒消灯）、第２のパイロットランプ１１を「消灯」にする。
また、運転スイッチ９ａがＯＮ状態（「運転」）、給気停止スイッチ９ｃがＯＦＦ状態（「切」）、マイクロコンピュータ２５内でカウントする運転時間が所定値以下（フィルタ清掃目安時間以前）、サーミスタ１４の温度が所定値以下（結露、凍結が心配される温度領域に入った）、運転が正常（異常なし）であれば、マイクロコンピュータ２５は、給気間欠運転が必要な状態と判断し、給気用送風機４を間欠運転するとともに、図５の「給気間欠運転」に示したように第１のパイロットランプ１０を「点灯」、第２のパイロットランプ１１を「点灯」にする。
また、運転スイッチ９ａがＯＮ状態（「運転」）、給気停止スイッチ９ｃがＯＮ状態（「入」）、マイクロコンピュータ２５内でカウントする運転時間が所定値以下（フィルタ清掃目安時間以前）、運転が正常（異常なし）であれば、マイクロコンピュータ２５は、給気用送風機４を停止するとともに、図５の「給気強制停止運転」に示したように第１のパイロットランプ１０を「点灯」、第２のパイロットランプ１１を「点灯」にする。
また、マイクロコンピュータ２５が何らかの異常を検知（制御回路内の部品の故障や安全装置の作動等）した場合、マイクロコンピュータ２５は、図５の「異常」に示したように第１のパイロットランプ１０を「０．５秒点滅」（０．５秒点灯／０．５秒消灯）、第２のパイロットランプ１１を「点灯」にする。
【００２８】
図５において、第１のパイロットランプ１０により、熱交換換気装置が「正常運転」であるか、「異常な状況」であるか、「停止」であるかを大雑把に分類して捉えることができる。すなわち、「点灯」で示される通常の熱交換換気運転、給気間欠運転、給気強制停止運転はいずれも運転モードの違いはあるが、正常な運転である。また、「点滅」で示される異常発生時はもちろん、フィルタメンテナンスサインが出た状態での運転もそのままだと目詰まりして性能の低下につながるので異常な状態と言える。また、「消灯」は運転停止である。第１のパイロットランプ１０では、このような熱交換換気装置のおおまかな運転状態を認識することができる。
また、第２のパイロットランプ１１により、熱交換換気装置が「通常の運転」であるか、「特殊な運転」であるかを大雑把に分類して捉えることができる。すなわち、「消灯」で示される通常の熱交換換気運転、フィルタメンテナンスサインが出た状態での運転は、いずれも運転状態の違いはあるが通常運転モードである。これに対して、「点灯」で示される給気間欠運転、給気強制停止運転は、結露や凍結の防止、冷風感緩和のための特殊な運転モードであり、異常発生時も通常ではない特殊な運転状態だと言える。第２のパイロットランプ１１では、このような熱交換換気装置のおおまかな運転状態の違いを認識することができる。
上述したように第１のパイロットランプ１０と第２のパイロットランプ１１のいずれかだけを見てもおおまかな状態を捉えることができるが、さらに両方を確認し、組み合わせることによって、図５に示す詳細な運転状態の違いを認識することができる。
【００２９】
このように構成された熱交換換気装置においては、通常の熱交換換気運転の他に、結露や凍結の防止のための給気用送風機の間欠運転、冷風感緩和のための給気強制停止運転などの各種運転モードやフィルタメンテナンスや異常発生などの各種メンテナンス情報があるが、使用者は第１のパイロットランプ１０および第２のパイロットランプ１１の組み合わせ表示により、各種運転状態を容易に認識することができるという効果がある。
また、第１のパイロットランプ１０あるいは第２のパイロットランプ１１のいずれか一方を見るだけでもおおまかな運転状態を捉えることができるので、第１のパイロットランプ１０と第２のパイロットランプ１１とを部屋の中の別々な場所に離して設置（例えば、第１のパイロットランプ１０をある壁面に設置し、第２のパイロットランプ１１をその壁面に対向する別な壁面に設置）した場合であっても、見易い方のパイロットランプだけを見ておおまかな運転状態を捉えることができる。
【００３０】
なお、第１のパイロットランプ１０と第２のパイロットランプ１１は同じ部屋に設置されるものとして説明したが、そうでなくてもよい。たとえば、第２のパイロットランプ１１は熱交換換気装置が設置されている部屋の中に設置し、第１のパイロットランプ１０はその部屋の入り口に近い廊下に設置してもよい。部屋の中にいても、廊下にいても使用者は熱交換換気装置のおおまかな運転状態を捉えることができる。
また、スイッチ回路９と一体になった第１のパイロットランプ１０は壁等使用者の手が届く場所への設置が必要だが、第２のパイロットランプ１１については手の届く場所にこだわらず、壁の高い位置や、天井などに設置されている熱交換換気装置本体のそばまたは熱交換換気装置本体の外郭に設置することも可能である。この場合は機器のそばに設置されているので直感的に何に対する表示であるかが使用者にとってさらにわかりやすい。
【００３１】
実施の形態２．
図６は、本発明の実施の形態２を示す熱交換換気装置の回路図である。実施の形態２では、第１のパイロットランプおよび第２のパイロットランプで表示する各運転モードやメンテナンス情報の表示パターンを、使用者が自分の好む表示パターンに任意に変更できるようにしたものである。以下図６により構成を説明する。制御回路８には、表示出力切換手段であるスイッチ３３、スイッチ３４が実装されている。スイッチ３３の第１の極３３ａ、第２の極３３ｂ、第３の極３３ｃ、第４の極３３ｄ、共通極３３eはそれぞれマイクロコンピュータ２５の入力端子２５ｈ、入力端子２５ｉ、入力端子２５ｊ、入力端子２５ｋ、回路ＧＮＤに接続される。なお、各入力端子にはプルアップ抵抗器が接続されている。スイッチ３４の第１の極３４ａ、第２の極３４ｂ、第３の極３４ｃ、第４の極３４ｄ、共通極３４eはそれぞれマイクロコンピュータ２５の入力端子２５ｌ、入力端子２５ｍ、入力端子２５ｎ、入力端子２５ｏ、回路ＧＮＤに接続される。なお、各入力端子にはプルアップ抵抗器が接続されている。なお、これ以外の部分については図４に示した回路図と同じなので、省略する。
【００３２】
次に動作について説明する。スイッチ３３を切換操作することにより、第１の極３３ａ〜第４の極３３ｄのうちのいずれか１極と共通極３３eとを短絡する状態に設定することができる。このとき、共通極３３eと第１の極３３ａとを短絡したスイッチ状態をポジション１とする。同様に共通極３３eと第２、…、第４の極とを短絡したスイッチ状態をそれぞれポジション２、…、ポジション４とする。共通極３３eと短絡した極につながっている入力端子は回路ＧＮＤと同電位となる。他の極につながっている入力端子はプルアップ抵抗器によりＤＣ５Ｖが入力される。
同様に、スイッチ３４を切換操作することにより、第１の極３４ａ〜第４の極３４ｄのうちのいずれか１極と共通極３４eとを短絡する状態に設定することができる。このとき、共通極３４eと第１の極３４ａとを短絡したスイッチ状態をポジション１とする。同様に共通極３４eと第２、…、第４の極とを短絡したスイッチ状態をそれぞれポジション２、…、ポジション４とする。共通極３４eと短絡した極につながっている入力端子は回路ＧＮＤと同電位となる。他の極につながっている入力端子はプルアップ抵抗器によりＤＣ５Ｖが入力される。
【００３３】
図７は、本発明の実施の形態２を示す熱交換換気装置の運転状態−表示対応表である。マイクロコンピュータ２５に図７の対応関係をあらかじめ記憶させておくものとする。マイクロコンピュータ２５は入力端子２５ｈ〜２５ｋおよび入力端子２５ｌ〜２５ｏへの入力電圧レベルを確認し、それぞれどの入力端子がＬｏレベルであるかにより各スイッチのどのポジションが選択されているかを認識できる。マイクロコンピュータ２５は、選択された各スイッチのポジションと、図７の対応関係とにより、各運転状態に対する表示パターンを決定する。そして決定された表示パターンにしたがって表示を行なう。例えば、スイッチ３３において、ポジション２すなわち第２の極３３ｂと共通極３３eとが短絡したスイッチ状態が選択されたとすると、入力端子２５ｉがＬｏレベルとなり、入力端子２５ｈ、２５ｊ、２５ｋがＨｉレベルとなる。これにより、マイクロコンピュータ２５は、スイッチ３３は第２の極３３ｂの位置すなわちポジション２であると認識し、図７のスイッチ３３のポジション２の表示パターンに従った表示を行なう。すなわち、フィルタメンテナンスサインのときは第１のパイロットランプを「点灯」させ、異常状態のときは第１のパイロットランプを「０．５秒点滅」させるパターンである。
このように、マイクロコンピュータ２５は、あらかじめ記憶している図７の対応関係と、各スイッチにて選択されたポジションとにより、各運転モードや各メンテナンス情報に対する表示がいずれのパターンになるかを切り換え、そのパターンに従った表示を行なう。なお、スイッチ３３は第１のパイロットランプ１０の表示パターンを切り換え、スイッチ３４は第２の表示手段の表示パターンを切り換えるためのスイッチである。
【００３４】
上述のスイッチ３３、スイッチ３４のポジションの位置すなわち共通極とどの極を短絡させるかはあらかじめ使用者が設定しておく。これにより、使用者が自分の好みの表示パターンを選び使用することができる。例えば表示手段が点滅するのを嫌う使用者は、スイッチ３３におけるポジション１の標準パターンをやめて、ポジション２、ポジション３あるいはポジション４のいずれかを選択する。ポジション２は点滅を避けたいが異常時の点滅は機器を正常に使用するためにやむを得ないと考える使用者に向いており、ポジション３はやはり点滅を避けたいがフィルタメンテナンスは知りたいし、この場合のゆっくりした点滅ならさほど気にならないという使用者に向いており、ポジション４は点滅はどんな場合も好まないという使用者に向いている。（図７参照）
また、スイッチ３４のポジション１の標準パターンでは特殊運転時に点灯、通常運転時に消灯であるが、逆転させて通常運転時に点灯、特殊運転時に消灯としたい使用者はポジション２とすればよい。また、ポジション１やポジション２の表示パターンでは、スイッチ３３と組み合わせても、間欠運転と給気強制停止運転のどちらで動いているのかがわからない。そのような場合はポジション３を選択して、間欠運転と給気強制停止運転とでいずれが実施されているのかを明確にすることができる。
【００３５】
上述したように、本実施の形態では、使用者がスイッチの切換により、第１のパイロットランプおよび第２のパイロットランプで表示させる各運転モードやメンテナンス情報を任意のパターンに変更することができる。これにより例えば表示を点滅させたくないなど使用者のニーズに合った表示パターンを選択して使用することができる。
【符号の説明】
【００３６】
１  本体
２  給気風路
３  排気風路
４  給気用送風機
５  排気用送風機
６  熱交換器
８  制御回路
１０  第１の表示手段である第１のパイロットランプ
１１  第２の表示手段である第２のパイロットランプ
３３  表示出力切換手段であるスイッチ
３４  表示出力切換手段であるスイッチ
１００  熱交換換気装置
【図１】
2010276266.tif 000003
【図２】
2010276266.tif 000004
【図３】
2010276266.tif 000005
【図４】
2010276266.tif 000006
【図５】
2010276266.tif 000007
【図６】
2010276266.tif 000008
【図７】
2010276266.tif 000009